(57)【特許請求の範囲】
【請求項１】
電線の導線に接続したリード端子を備えている電球と、電球・リード端子・導線・電線の一部を覆うための、先端部側に閉鎖された頭部を有する筒状に形成されたプラスチックカバーと、プラスチックカバーを覆うチューブとから構成され、プラスチックカバー内に充填剤を注入したことを特徴とする装飾用電球。
【請求項２】
充填剤は、接着剤である請求項１に記載の装飾用電球。
【請求項３】
チューブは、プラスチックカバーの先端部を露出させて、プラスチックカバーを覆っている請求項１又は２に記載の装飾用電球。
【請求項４】
チューブの一端側の内部に、電球・リード端子・導線・電線の一部を覆うプラスチックカバーを配置し、チューブの他端側の内部に、Ｕ字形に折曲した電線を配置している請求項１又は２に記載の装飾用電球。
【請求項５】
Ｕ字形に折曲した電線は、チューブ内に固定した引き抜き防止用の横架材を跨ぐように配置されている請求項４に記載の装飾用電球。
【請求項６】
プラスチックカバーの外周面に、チューブの内周面に圧接する環状凸部を備えている請求項１乃至５のいずれかに記載の装飾用電球。
【請求項７】
少なくとも電球を内蔵しているプラスチックカバーと、プラスチックカバーの全体又は一部を覆うチューブとから構成され、プラスチックカバーの外周面に、チューブの内周面に圧接する環状凸部を備えていることを特徴とする装飾用電球。
【請求項８】
チューブの一端側の内部に電球を配置し、チューブの他端側の内部に、チューブ内に固定した引き抜き防止用の横架材を跨ぐようにＵ字形に折曲した電線を配置していることを特徴とする装飾用電球。
【請求項９】
チューブの一端側の内部に電球を配置し、チューブの他端側の内部に、横架片を跨ぐようにＵ字形に折曲した電線を配置し、チューブを熱圧縮することで縮径させ、横架片を挟持してその移動を阻止したことを特徴とする装飾用電球。
【請求項１０】
チューブの一端側の内部に電球・リード端子・導線・電線の一部を覆うプラスチックカバーを配置し、チューブの他端側の内部に、横架片を跨ぐようにＵ字形に折曲した電線を配置し、チューブを熱圧縮することで縮径させ、横架片を挟持してその移動を阻止したことを特徴とする装飾用電球。
【請求項１１】
チューブを二重にした請求項１乃至１０のいずれかに記載の装飾用電球。
【請求項１２】
チューブの一端側の内部に電球を配置し、チューブの他端側の内部に、横架片を跨ぐようにＵ字形に折曲した電線を配置し、チューブの外側にもう１つのチューブを配置してチューブを二重とし、外側のチューブを熱圧縮することで内側のチューブを縮径させ、横架片を挟持してその移動を阻止したことを特徴とする装飾用電球。
【請求項１３】
チューブの一端側の内部に電球・リード端子・導線・電線の一部を覆うプラスチックカバーを配置し、チューブの他端側の内部に、横架片を跨ぐようにＵ字形に折曲した電線を配置し、チューブの外側にもう１つのチューブを配置してチューブを二重とし、外側のチューブを熱圧縮することで内側のチューブを縮径させ、横架片を挟持してその移動を阻止したことを特徴とする装飾用電球。
【発明の詳細な説明】
【０００１】
【発明の属する技術分野】
本発明は、例えば、クリスマスツリーや種々のクリスマスイルミネーション等に使用される装飾用電球に関するものである。
【０００２】
【従来の技術】
従来より、クリスマスツリーや種々のクリスマスイルミネーション等に使用される装飾用電球として、種々の構造のものが提案されている。この装飾用電球としては、例えば、電球の一部又は全体を所定のチューブにより覆ったものがある。
【０００３】
【発明が解決しようとする課題】
しかしながら、電球の一部又は全体を所定のチューブにより覆った従来の装飾用電球は、所定の防水性・堅牢性を備え、屋外においても通常の気象条件には充分に耐え得るものであるが、極めて強い風雨の中に長期間さらされた場合等に、ときとして、装飾用電球内に雨水等が侵入してしまうこともある。
【０００４】
そこで本発明は、叙上のような従来存した問題点に鑑み創出されたもので、電球・リード端子・導線・電線等をプラスチックカバーで覆い、このプラスチックカバー内に充填剤を注入したり、プラスチックカバーをチューブで覆うことで、装飾用電球の堅牢性を充分に確保すると共に、雨水等の侵入を確実に防いで、充分な防水性と気密性を備えた装飾用電球を提供することを目的としたものである。
【０００５】
【課題を解決するための手段】
このため、本発明に係る装飾用電球は、電線の導線に接続したリード端子を備えている電球と、電球・リード端子・導線・電線の一部を覆うための、先端部側に閉鎖された頭部を有する筒状に形成されたプラスチックカバーと、プラスチックカバーを覆うチューブとから構成され、プラスチックカバー内に充填剤を注入したことで、上述した課題を解決した。
【０００６】
また、充填剤は、接着剤であることで、同じく上述した課題を解決した。
【０００７】
さらに、チューブは、プラスチックカバーの先端部を露出させて、プラスチックカバーを覆っていることで、同じく上述した課題を解決した。
【０００８】
また、チューブの一端側の内部に、電球・リード端子・導線・電線の一部を覆うプラスチックカバーを配置し、チューブの他端側の内部に、Ｕ字形に折曲した電線を配置していることで、同じく上述した課題を解決した。
【０００９】
加えて、Ｕ字形に折曲した電線は、チューブ内に固定した引き抜き防止用の横架材を跨ぐように配置されていることで、同じく上述した課題を解決した。
【００１０】
また、プラスチックカバーの外周面に、チューブの内周面に圧接する環状凸部を備えていることで、同じく上述した課題を解決した。
【００１１】
この他、装飾用電球が、少なくとも電球を内蔵しているプラスチックカバーと、プラスチックカバーの全体又は一部を覆うチューブとから構成され、プラスチックカバーの外周面に、チューブの内周面に圧接する環状凸部を備えていることで、同じく上述した課題を解決した。
【００１２】
また、チューブの一端側の内部に電球を配置し、チューブの他端側の内部に、チューブ内に固定した引き抜き防止用の横架材を跨ぐようにＵ字形に折曲した電線を配置していることで、同じく上述した課題を解決した。
【００１３】
さらに、チューブの一端側の内部に電球を配置し、チューブの他端側の内部に、横架片を跨ぐようにＵ字形に折曲した電線を配置し、チューブを熱圧縮することで縮径させ、横架片を挟持してその移動を阻止したことで、同じく上述した課題を解決した。
【００１４】
また、チューブの一端側の内部に電球・リード端子・導線・電線の一部を覆うプラスチックカバーを配置し、チューブの他端側の内部に、横架片を跨ぐようにＵ字形に折曲した電線を配置し、チューブを熱圧縮することで縮径させ、横架片を挟持してその移動を阻止したことで、同じく上述した課題を解決した。
【００１５】
加えて、チューブを二重にしたことで、同じく上述した課題を解決した。
【００１６】
そして、チューブの一端側の内部に電球を配置し、チューブの他端側の内部に、横架片を跨ぐようにＵ字形に折曲した電線を配置し、チューブの外側にもう１つのチューブを配置してチューブを二重とし、外側のチューブを熱圧縮することで内側のチューブを縮径させ、横架片を挟持してその移動を阻止したことで、同じく上述した課題を解決した。
【００１７】
また、チューブの一端側の内部に電球・リード端子・導線・電線の一部を覆うプラスチックカバーを配置し、チューブの他端側の内部に、横架片を跨ぐようにＵ字形に折曲した電線を配置し、チューブの外側にもう１つのチューブを配置してチューブを二重とし、外側のチューブを熱圧縮することで内側のチューブを縮径させ、横架片を挟持してその移動を阻止したことで、同じく上述した課題を解決した。
【００１８】
【発明の実施の形態】
以下、図面を参照して本発明の一実施の形態を説明する。本発明に係る装飾用電球１は、例えば、図１・図２に示すように、電線Ｓの導線Ｒに接続したリード端子Ｑを備えている電球Ｐと、電球Ｐ・リード端子Ｑ・導線Ｒ・電線Ｓの一部を覆うプラスチックカバー２と、プラスチックカバー２を覆うチューブ３とから構成されている。
【００１９】
プラスチックカバー２は、例えば、光分散性を備えた電気絶縁性素材を用いて形成されている。具体的には、ポリ塩化ビニル（ＰＶＣ）等が素材として用いられている。また、プラスチックカバー２は、射出成型等の手段を用いて、先端部に略円形の頭部を有する筒状に形成されている。このプラスチックカバー２を覆うチューブ３は、シリコンやゴム等の軟質性素材を用いて形成されている。また、チューブ３は、加熱により収縮する塩化ビニル、ポリエチレン等の合成樹脂素材を用いたシュリンクチューブであっても良い。そして、チューブ３は、図１に示すように、プラスチックカバー２の頭部を露出させて、プラスチックカバー２を覆っている。また、チューブ３の下方開口部は、これを加熱により収縮させて、電線Ｓの周囲に強く接して閉鎖した状態となっている。さらに、プラスチックカバー２内には、例えば、透明な接着剤等による充填剤４を隙間なく注入してある。
【００２０】
プラスチックカバー２内に充填剤４を注入したときは、図１に示すように、一対のリード端子Ｑ・導線Ｒが互いに離れた状態となるように配置され、電球Ｐ・リード端子Ｑ・導線Ｒ・電線Ｓの全体が、充填剤４によりしっかりと被覆されることとなる。
【００２１】
そして、プラスチックカバー２は、図２（ａ）に示すように、プラスチックカバー２の頭部寄りの外周に、環状凸部５を備えている。このプラスチックカバー２をチューブ３内に挿入すると、図２（ｂ）に示すように、プラスチックカバー２の外周面の全体、特に、環状凸部５がチューブ３の内周面に強く接して、チューブ３内においてプラスチックカバー２が強固に保持される。
【００２２】
尚、図１・図２に示す装飾用電球１は、チューブ３がプラスチックカバー２の頭部を露出させているが、これに限定されることはなく、チューブ３がプラスチックカバー２の全体をすっぽりと包み込んだ状態であっても良い。
【００２３】
次に、本発明に係る装飾用電球１を組み付ける一例を説明する。まず、図２（ａ）に示すように、プラスチックカバー２の下方開口部より、電線Ｓの導線Ｒに接続したリード端子Ｑを備えている電球Ｐを挿入する。そして、プラスチックカバー２内に、隙間なく充填剤４を注入する。この充填剤４は、時間が経過しても柔軟性を有するもの、時間の経過により硬化するものの、いずれであっても良い。次に、チューブ３の一端開口側からプラスチックカバー２を挿入し、プラスチックカバー２の頭部が、チューブ３の他端開口側から露出した状態にする。最後に、チューブ３を加熱により収縮させ、図１に示すように、プラスチックカバー２の外周面とチューブ３の内周面が強く接した状態とする。このとき、図２（ｂ）に示すように、プラスチックカバー２の外周に環状凸部５を設けているときは、環状凸部５がチューブ３の内周面に強く接して、プラスチックカバー２からチューブ３が外れてしまう事態の発生を確実に阻止している。また、チューブ３の下方開口部は、電線Ｓの周囲に強く接して、閉鎖した状態となる。
【００２４】
図３乃至図５には、本発明に係る装飾用電球１の他の実施の形態が示されている。この装飾用電球１は、例えば、図５に示すように、装飾用電球１とＵ字形に折曲した電線Ｓが向かい合うようにして、複数の装飾用電球１がネット状に配置されたものである。装飾用電球１は、図３に示すように、長尺の円筒状に形成されたチューブ３０の一端側の内部に、電球Ｐ・リード端子Ｑ・導線Ｒ・電線Ｓの一部を覆うプラスチックカバー２を配置し、チューブ３０の他端側の内部に、Ｕ字形に折曲した電線Ｓを配置している。
【００２５】
このプラスチックカバー２は、図３に示すように、チューブ３０内において、頭部が内向きとなるように配置されている。また、チューブ３０の開口部は、電線Ｓの周囲に強く接して、閉鎖した状態となっている。さらに、プラスチックカバー２の外周面には、環状凸部５を備えているため、環状凸部５がチューブ３０の内周面に強く接して、チューブ３０内にプラスチックカバー２が強固に保持されている。そして、チューブ３０の他端開口側の内部には、Ｕ字形に折曲した電線Ｓを配置している。この状態でチューブ３０を加熱して収縮させると、電線Ｓの周囲にチューブ３０が強く接して、チューブ３０内に電線Ｓが保持される。このとき、図３に示すように、チューブ３０内に固定した引き抜き防止用の横架材６を跨ぐようにＵ字形に折曲した電線Ｓを配置しても良い。尚、図３に示す装飾用電球１は、チューブ３０の一端側の内部に、電球Ｐ・リード端子Ｑ・導線Ｒ・電線Ｓの一部を覆うプラスチックカバー２の全体を配置しているが、これに限定されることはなく、電球Ｐのみを内蔵しているプラスチックカバー２を配置しても良い。また、電球Ｐのみを直接的に配置しても良い。
【００２６】
この他、チューブ３０の一端側の内部に電球Ｐや、電球Ｐ・リード端子Ｑ・導線Ｒ・電線Ｓの一部を覆うプラスチックカバー２を配置し、チューブ３０の他端側の内部に、横架片６０を跨ぐようにＵ字形に折曲した電線Ｓを配置し、チューブ３０を熱圧縮することで縮径させ、横架片６０を挟持してその移動を阻止したものであっても良い。さらに、全てのチューブ３，３０を、二重にしても良い。
【００２７】
この他、図４には、チューブ３０，３００が二重となっている装飾用電球１において、チューブ３０，３００の他端開口側の内部へ、電線Ｓを横架片６０と共に組み付ける一例が示されている。すなわち、チューブ３０の一端側の内部に、電球Ｐや、電球Ｐ・リード端子Ｑ・導線Ｒ・電線Ｓの一部を覆うプラスチックカバー２を配置する。そして、図４（ａ）に示すように、チューブ３０の他端側の内部に、横架片６０を跨ぐようにＵ字形に折曲した電線Ｓを配置する。この横架片６０は、塩化ビニル等の素材を用いて形成されている。また、チューブ３０の外側に、当該チューブ３０よりも大径で且つ肉厚の薄いもう１つの円筒状のチューブ３００を配置してチューブ３０，３００を二重とする。最後に、外側のチューブ３００を熱圧縮することで内側のチューブ３０を縮径させる。
【００２８】
このとき、チューブ３０内に配されている横架片６０は、図４（ａ）・（ｂ）に示すように、縮径する当該チューブ３０の内周面によって挟持固定され、その移動が阻止された状態に保持される。また、図４（ｂ）に示すように、Ｕ字形に折曲した電線Ｓにおいて、チューブ３０の他端開口部から外側に引き出された２本の電線Ｓの周囲に、チューブ３００の開口部が熱圧縮により強く接して、閉鎖した状態となる。この様にして、チューブ３０，３００の内部は完全に封止された状態となり、内部への水・塵埃・汚物等の浸入が確実に阻止される。
【００２９】
【発明の効果】
本発明に係る装飾用電球１は、電線Ｓの導線Ｒに接続したリード端子Ｑを備えている電球Ｐと、電球Ｐ・リード端子Ｑ・導線Ｒ・電線Ｓの一部を覆うプラスチックカバー２と、プラスチックカバー２を覆うチューブ３とから構成され、プラスチックカバー２内に充填剤４を注入したことから、電球Ｐにおけるリード端子Ｑの夫々が離れた状態を維持しながら、プラスチックカバー２内の気密性を確保している。また、充填剤４の注入により、プラスチックカバー２内への雨水等の侵入を確実に防いで、装飾用電球１の防水性を確保している。さらに、プラスチックカバー２を覆うチューブ３により、装飾用電球１におけるより一層の気密性・防水性が確保されている。これと同様に、プラスチックカバー２に強い衝撃が加えられたときも、電球Ｐの半田付け部分等に何ら損傷が生じることはなく、装飾用電球１の堅牢性が充分に確保されている。
【００３０】
また、充填剤４が接着剤であるときは、装飾用電球１の堅牢性がより一層確保される。
【００３１】
加えて、チューブ３は、プラスチックカバー２の先端部を露出させて、プラスチックカバー２を覆っていることから、電球Ｐの光がきれいなものとなり、その装飾性が向上している。
【００３２】
また、チューブ３０の一端側の内部に、電球Ｐ・リード端子Ｑ・導線Ｒ・電線Ｓの一部を覆うプラスチックカバー２を配置し、チューブ３０の他端側の内部に、Ｕ字形に折曲した電線Ｓを配置しているときは、チューブ３０内にプラスチックカバー２と電線Ｓを配置した状態において、装飾用電球１の気密性・防水性を確保することができる。
【００３３】
この他、装飾用電球１とＵ字形に折曲した電線Ｓが向かい合うようにして、装飾用電球１がネット状に複数配置された状態を形成して、その装飾性が向上している。このとき、Ｕ字形に折曲した電線Ｓが、チューブ３０内に固定した引き抜き防止用の横架材６を跨ぐように配置されているときは、チューブ３０内から電線Ｓが引き抜かれる事態の発生を確実に阻止し、装飾用電球１の堅牢性を確保している。
【００３４】
また、プラスチックカバー２の外周面に、環状凸部５を備えているときは、この環状凸部５とチューブ３，３０の内周面が強く接して、チューブ３，３０内にプラスチックカバー２が確実に保持される。
【００３５】
そして、少なくとも電球Ｐを内蔵しているプラスチックカバー２と、プラスチックカバー２の全体又は一部を覆うチューブ３，３０とから装飾用電球１が構成され、プラスチックカバー２の外周面に環状凸部５を備えているときは、プラスチックカバー２の環状凸部５がチューブ３，３０の内周面に強く接して、チューブ３，３０がプラスチックカバー２から外れてしまう事態の発生を確実に阻止し、装飾用電球１の堅牢性を確保している。
【００３６】
また、チューブ３０の一端側の内部に電球Ｐを配置し、チューブ３０の他端側の内部に、チューブ３０内に固定した引き抜き防止用の横架材６を跨ぐようにＵ字形に折曲した電線Ｓを配置しているときは、この横架材６によってチューブ３０内に保持されている電線Ｓが引き抜かれる事態の発生を確実に阻止し、装飾用電球１の堅牢性を確保している。
【００３７】
さらに、チューブ３０の一端側の内部に電球Ｐを配置し、チューブ３０の他端側の内部に、横架片６０を跨ぐようにＵ字形に折曲した電線Ｓを配置したときは、チューブ３０を熱圧縮することで縮径させ、横架片６０を挟持してその移動を確実に阻止できる。
【００３８】
また、チューブ３０の一端側の内部に電球Ｐ・リード端子Ｑ・導線Ｒ・電線Ｓの一部を覆うプラスチックカバー２を配置し、チューブ３０の他端側の内部に、横架片６０を跨ぐようにＵ字形に折曲した電線Ｓを配置したときも、チューブ３０を熱圧縮することで縮径させ、横架片６０を挟持してその移動を確実に阻止できる。
【００３９】
加えて、チューブ３，３０を二重にしたときは、装飾用電球１において、より一層の気密性・防水性・堅牢性を確保できる。
【００４０】
一方、チューブ３０の一端側の内部に電球Ｐを配置し、チューブ３０の他端側の内部に、横架片６０を跨ぐようにＵ字形に折曲した電線Ｓを配置し、チューブ３０の外側にもう１つのチューブ３００を配置してチューブ３０，３００を二重としたときは、外側のチューブ３００を熱圧縮することで内側のチューブ３０を縮径させ、横架片６０を挟持してその移動を確実に阻止できる。
【００４１】
また、チューブ３０の一端側の内部に電球Ｐ・リード端子Ｑ・導線Ｒ・電線Ｓの一部を覆うプラスチックカバー２を配置し、チューブ３０の他端側の内部に、横架片６０を跨ぐようにＵ字形に折曲した電線Ｓを配置し、チューブ３０の外側にもう１つのチューブ３００を配置してチューブ３０，３００を二重としたときは、外側のチューブ３００を熱圧縮することで内側のチューブ３０を縮径させ、横架片６０を挟持してその移動を確実に阻止できる。
【００４２】
上述した様に、本発明によれば、装飾用電球１の気密性・防水性・堅牢性を一層向上させることができる。また、装飾用電球１の製造・組み付けも容易であることから、大量生産に好ましく、品物の製造コストを極めて安くすることができる。
【図面の簡単な説明】
【図１】電球等を内蔵して充填剤を注入しているプラスチックカバーを、その頭部を露出させた状態でチューブにより覆っている装飾用電球の構成を示した断面図である。
【図２】プラスチックカバーに環状凸部を備えている装飾用電球の構成を示しており、（ａ）は、装飾用電球の分解斜視図、（ｂ）は、装飾用電球の完成状態における断面図である。
【図３】チューブの一端側の内部に、電球等を覆うプラスチックカバーを配置し、チューブの他端側の内部に、チューブ内に固定した引き抜き防止用の横架材を跨ぐようにＵ字形に折曲した電線を配置している装飾用電球の断面図である。
【図４】  チューブを二重にした装飾用電球の構成を示しており、（ａ）は、内側のチューブの内部に、横架片を跨ぐようにＵ字形に折曲した電線を配置し、外側のチューブを熱圧縮することで内側のチューブを縮径させ、横架片を挟持してその移動を阻止する状態を示した分解断面図、（ｂ）は、その完成状態における断面図である。
【図５】装飾用電球とＵ字形に折曲した電線が向かい合うようにして、装飾用電球がネット状に複数配置された状態を説明した平面図である。
【符号の説明】
Ｐ…電球                            Ｑ…リード端子
Ｒ…導線                            Ｓ…電線
１…装飾用電球                      ２…プラスチックカバー
３，３０，３００…チューブ
４…充填剤                          ５…環状凸部
６…横架材                          ６０…横架片
【図１】
0004082570.tif 000002
【図２】
0004082570.tif 000003
【図３】
0004082570.tif 000004
【図４】
0004082570.tif 000005
【図５】
0004082570.tif 000006